(57)【要約】【課題】車載式クレーン、クローラクレーンを用いたクレーン作業が困難な山間部などの作業現場に分解した状態で搬入して、重量物の吊り上げ、前後左右への移動、および旋回を含むクレーン作業を行うことのできる現場組立式簡易クレーンを工具無しで簡単に組立て可能にすること。【解決手段】現場組立式簡易クレーン１は、アウトリガー取付部品３、アウトリガー４、垂直ポール５、ブーム６、ブーム起伏用シリンダ８、電動ウインチ９が分解された状態で作業現場に搬入される。搬送が容易な重量および寸法の部品に分解して山間部などの足場の悪い作業現場に搬入できる。組立、分解は、工具無しで連結ピンを差し込むことにより、簡単に行うことができる。【選択図】図１
2009046249.tif 000002
【特許請求の範囲】
【請求項１】
アウトリガー取付部品と、
このアウトリガー取付部品に連結ピンを介して着脱可能な状態で連結固定され、このアウトリガー取付部品を中心として放射状に延びている複数本のアウトリガーと、
前記アウトリガー取付部品の中心部を上下方向に貫通しているポール差込筒と、
このポール差込筒に上側から着脱可能な状態で差し込まれていると共に当該ポール差込筒によって回転可能な状態で支持されている垂直ポールと、
この垂直ポールの上端部に、連結ピンを介して、着脱可能、および、上下方向に起伏可能な状態で連結されているブームと、
前記垂直ポールと前記ブームの間に架け渡され、連結ピンを介して、これらに着脱可能な状態で連結されているブーム起伏用シリンダと、
前記ブームあるいは前記垂直ポールに搭載されており、前記ブームの先端からワイヤによって吊り下げられているフックを昇降させるための電動ウインチとを有し、
各アウトリガーは、前記アウトリガー取付部材に内端部が着脱可能な状態で連結固定されている水平張り出し部材と、この水平張り出し部材の外端部に取り付けられている上下方向に延びる脚差込筒と、この脚差込筒に上下方向から差し通されている垂直脚とを備えていることを特徴とする現場組立式簡易クレーン。
【請求項２】
請求項１に記載の現場組立式簡易クレーンにおいて、
前記アウトリガー取付部品は、
前記ポール差込筒の外周面に等角度間隔で固定されており、外方に放射状に張り出している複数個のアウトリガー取付部と、
各アウトリガー取付部に形成されているピン差込穴と、
前記ポール差込筒の上端縁に同軸状態で水平に固定されている円環状座板とを備えていることを特徴とする現場組立式簡易クレーン。
【請求項３】
請求項２に記載の現場組立式簡易クレーンにおいて、
前記垂直ポールは、
円筒状ポール本体と、
この円筒状ポール本体の下端から軸線方向に所定の距離だけ離れた外周面部分に固定した円環状フランジと、
前記円筒状ポール本体の上端面から上方に突出しているブーム取付用フランジと、
このブーム取付用フランジに形成されているピン差込穴とを備えていることを特徴とする現場組立式簡易クレーン。
【請求項４】
請求項３に記載の現場組立式簡易クレーンにおいて、
各アウトリガーの前記水平張り出し部材は、少なくとも、筒状水平部材と、この筒状水平部材の一端側の開口部から引き出し可能な状態で差し込まれている引き出し式水平部材とを備えており、
前記筒状水平部材の他方の端に前記脚差込筒が固定されており、
前記引き出し式水平部材の端部には、前記アウトリガー取付部品の前記アウトリガー取付部に対して連結ピンによって連結固定可能な取付部が形成されていることを特徴とする現場組立式簡易クレーン。
【請求項５】
請求項４に記載の現場組立式簡易クレーンにおいて、
前記ブームは、少なくとも、前記垂直ポールのブーム取付用フランジに連結ピンによって連結される第１ブームと、この第１ブームに収納された位置から所定量引き出し可能な第２ブームとを備えていることを特徴とする現場組立式簡易クレーン。
【請求項６】
請求項５に記載の現場組立式簡易クレーンにおいて、
前記アウトリガー取付部材の各アウトリガー取付部には、組立作業において、当該アウトリガー取付部材を所定高さの位置に垂直に支持するための組立用パイプを差し込み固定可能な筒部分が固定されていることを特徴とする現場組立式簡易クレーン。
【請求項７】
請求項６に記載の現場組立式簡易クレーンの組立方法であって、
前記アウトリガー取付部品の各筒部分に組立用パイプを差し込み、前記ポール差込筒が所定高さ位置となるように、各組立用パイプを各筒部分に締結固定し、
各アウトリガーの前記筒状部材、前記引き出し式水平部材および前記垂直脚を組立て、
前記組立用パイプが締結固定されている前記アウトリガー取付部品を垂直に立て、
前記ポール差込筒の外周面から放射状に張り出している各アウトリガー取付部に、各アウトリガーを連結ピンにより取り付け、
各アウトリガーの外端部の前記脚差込筒に差し込まれている各垂直脚の下方への突出量を調節することにより、各アウトリガーが水平となるよう設定し、
前記ポール差込筒に、上側から垂直ポールの下端部を差し込むことにより、当該垂直ポールを前記アウトリガー取付部品に対して垂直に取り付け、
前記垂直ポールの上端部に連結ピンによって前記ブームを取り付け、
前記垂直ポールおよび前記ブームの間に、前記ブーム起伏用シリンダを架け渡し、
各組立用パイプを各筒部分から外すことを特徴とする現場組立式簡易クレーンの組立方法。
【発明の詳細な説明】
【技術分野】
【０００１】
本発明は、車載式クレーン、クローラクレーンでのクレーン作業が困難な山間部、クレーンを搬入できない作業現場などにおいてクレーン作業を行うことができるように、このような作業現場において工具無しで組立および分解が可能な現場組立式簡易クレーンに関するものである。
【背景技術】
【０００２】
車載式クレーン、クローラクレーンを搬入することのできる山間部などの作業現場においては、三脚式の吊り上げ機構(三太郎)、あるいは、手動式フォーム(ハンドリフター)を用いて、重量物の吊り上げ、移動などの作業を行っている。例えば、石材の立て込み作業などにおいては三脚式のものが一般的に使用されている。
【０００３】
このような簡易型のクレーンは、一般のクレーン作業において使用されているクレーンとは異なり、基本的に、ワイヤに吊り下げたフックを用いて荷物の上げ下げができるのみである。吊り上げた重量物を前後、左右、あるいは旋回させて、吊り上げ位置から別の位置に移動させるためには人力に頼らざるを得ない。しかしながら、山間部などの起伏のある作業場所でのこのような作業は危険であり、また、重労働である。
【０００４】
作業現場に部品を搬入して組み立てて使用可能な簡易クレーンとしては、特許文献１〜３などに開示されているように、各種のものが提案されている。これらは、一般に、建物の建設現場で使用されるものであり、山間部などのような起伏のある作業現場、クレーン設置場所として広い設置場所を確保することが困難な作業現場において用いるには適していない。
【特許文献１】特開２００６−２４０８７８号公報
【特許文献２】特開平１０−１３９３７３号公報
【特許文献３】特開平７−２５２０９０号公報
【発明の開示】
【発明が解決しようとする課題】
【０００５】
本発明の課題は、車載式クレーン、クローラクレーンを用いたクレーン作業が困難な山間部などの作業現場において、重量物の吊り上げ、前後左右への移動、および旋回を含むクレーン作業を行うことのできる現場組立式簡易クレーンを提案することにある。
【０００６】
また、本発明の課題は、クレーンを搬入できない作業現場に分解したクレーン構成部品を搬入でき、設置スペースを多く必要とせずに工具無しで簡単に組み立てることができ、作業後は分解して作業現場から搬出することのできる現場組立式簡易クレーンを提案することにある。
【課題を解決するための手段】
【０００７】
上記の課題を解決するために、本発明の現場組立式簡易クレーンは、
アウトリガー取付部品と、
このアウトリガー取付部品に連結ピンを介して着脱可能な状態で連結固定され、このアウトリガー取付部品を中心として放射状に延びている複数本のアウトリガーと、
前記アウトリガー取付部品の中心部を上下方向に貫通しているポール差込筒と、
このポール差込筒に上側から着脱可能な状態で差し込まれていると共に当該ポール差込筒によって回転可能な状態で支持されている垂直ポールと、
この垂直ポールの上端部に連結ピンを介して着脱可能、および、上下方向に起伏可能な状態で連結されているブームと、
前記垂直ポールと前記ブームの間に架け渡され、連結ピンを介して、これらに着脱可能な状態で連結されているブーム起伏用シリンダと、
前記ブームあるいは前記垂直ポールに搭載されており、前記ブームの先端からワイヤによって吊り下げられているフックを昇降させるための電動ウインチとを有し、
各アウトリガーは、前記アウトリガー取付部材に内端部が着脱可能な状態で連結固定されている水平張り出し部材と、この水平張り出し部材の外端部に取り付けられている上下方向に延びる脚差込筒と、この脚差込筒に上下方向から差し通されている垂直脚とを備えていることを特徴としている。
【０００８】
本発明の現場組立式簡易クレーンは、アウトリガー取付部品、各アウトリガー、各垂直脚、電動ウインチが搭載されているブーム、および、ブーム起伏用シリンダから構成されており、これを分解した状態で作業現場に搬入して組み立てることができる。
【０００９】
ここで、前記アウトリガー取付部品は、前記ポール差込筒の外周面に等角度間隔で固定され、外方に放射状に張り出している複数個のアウトリガー取付部と、各アウトリガー取付部に形成されている複数個のピン差込穴と、前記ポール差込筒の上端縁に同軸状態で水平に固定されている円環状座板とを備えた構成とすることができる。
【００１０】
前記垂直ポールは、円筒状ポール本体と、この円筒状ポール本体の下端から軸線方向に所定の距離だけ離れた外周面部分に固定した円環状フランジと、前記円筒状ポール本体の上端面から上方に突出しているブーム取付用フランジと、このブーム取付用フランジに形成されているピン差込穴とを備えた構成とすることができる。
【００１１】
各アウトリガーの水平張り出し部材は、筒状水平部材と、この筒状水平部材の一端側の開口部から引き出し可能な状態で差し込まれている引き出し式水平部材とを備えた二段式のものとし、前記筒状水平部材の他方の端に前記脚差込筒を固定しておき、前記引き出し式水平部材の端部に、前記アウトリガー取付部品の前記アウトリガー取付部に対して連結ピンによって連結固定可能な取付部を形成しておくことができる。
【００１２】
前記ブームは多段式のものとすることができ、例えば、前記垂直ポールに連結ピンによって連結される第１ブームと、この第１ブームに収納された位置から所定量引き出し可能な第２ブームとを備えた二段式のものとすることができる。または、第１ブームと、この第１ブームに収納された位置から所定量引き出し可能な第２ブームと、この第２ブ−ムに収納された位置から所定量引き出し可能な第３ブームとを備えた三段式のものとすることができる。
【００１３】
ここで、本発明の現場組立式簡易クレーンの組立作業を簡単に行うことができるようにするために、前記アウトリガー取付部材の各アウトリガー取付部には、組立作業において、当該アウトリガー取付部材(ボール差込筒)を所定高さの位置に垂直に支持するための組立用パイプを差し込み固定可能な筒部分が固定されていることが望ましい。
【００１４】
次に、このように各部品が構成されている本発明の現場組立式簡易クレーンは、連結ピンを用いて工具無しで簡単に組み立てることができる。例えば、次の組立手順により簡単に組み立てることができる。
【００１５】
まず、前記ポール差込筒の各筒部分に組立用パイプを差し込み、当該ポール差込筒が使用高さ位置に支持できるように、各組立用パイプを各筒部分に締結固定する。これと並行して、あるいは、前後して、各アウトリガーの前記筒状部材、引き出し式水平部材および前記垂直脚を組立てておく。
【００１６】
次に、前記アウトリガー取付部品の各筒部分に組立用パイプを差し込み、前記ポール差込筒が所定高さ位置となるように、各組立用パイプを各筒部分に締結固定する。この状態で、ポール差込筒の外周面から放射状に張り出している各アウトリガー取付部に、各アウトリガーを連結ピンにより取り付ける。そして、各アウトリガーの外端部の前記脚差込筒に差し込まれている各垂直脚の下方への突出量を調節することにより、各アウトリガーが水平となるよう設定する。
【００１７】
この後は、前記アウトリガー取付部品のポール差込筒に、上側から垂直ポールの下端部を差し込むことにより、当該垂直ポールを前記アウトリガー取付部品に対して垂直に取り付ける。次に、前記垂直ポールの上端部に連結ピンによって前記ブームを取り付け、前記垂直ポールおよび前記ブームの間に、前記ブーム起伏用シリンダを架け渡す。最後に、各組立用パイプを各筒部分から外す。
【発明の効果】
【００１８】
本発明によれば、車載式クレーン、クローラクレーンを用いたクレーン作業が困難な山間部などの作業現場、クレーンを搬入することができない作業現場において、各構成部品を組み立てることによりクレーンを設置できる。
【００１９】
また、アウトリガー取付部品のポール差込筒に、垂直ポールが垂直な姿勢で回転可能な状態で差し込まれており、この垂直ポールの上端部には、着脱可能なブーム起伏用シリンダによって、ブームが起伏可能に取り付けられている。したがって、重量物の吊り上げ、前後左右への移動、および旋回を含むクレーン作業を行うことのできる現場組立式簡易クレーンを実現できる。
【００２０】
さらに、作業現場に分解したクレーン構成部品を、設置スペースを多く必要とせずに工具無しで、連結ピンを用いて簡単に組み立てることができる。作業後も簡単に分解でき作業現場から搬出することができる。
【発明を実施するための最良の形態】
【００２１】
以下に、図面を参照して、本発明を適用した現場組立式簡易クレーンの実施の形態を説明する。
【００２２】
(全体構成)
図１(ａ)および(ｂ)は、本実施の形態に係る現場組立式簡易クレーンの側面図および部分平面図である。現場組立式簡易クレーン１は、ポール差込筒２を備えたアウトリガー取付部品３と、ポール差込筒２が垂直となるようにアウトリガー取付部品３を支持している４本のアウトリガー４と、ポール差込筒２に回転可能な状態で上側から差し込まれている垂直ポール５と、垂直ホール５の上端部に取り付けられている多段式ブーム、本例では三段式ブーム６を有している。ポール差込筒２の下端部２ａと４本のアウトリガー４の間には、それぞれ、アウトリガー補強部材７が架け渡されている。また、垂直ポール５と三段式ブーム６の間にはブーム起伏用シリンダ８が架け渡されている。さらに、垂直ポール５の上端部分の外周面には電動ウインチ９が搭載されている。電動ウインチ９から延びているワイヤ１１は、垂直ポール５の先端に取り付けたプーリ１０ａおよび三段段式ブーム６の先端部に取り付けたプーリ１０ｂに架け渡され、当該ブーム先端部の下面側に連結されている。このワイヤ１１にはフック１２が吊り下げられている。
【００２３】
また、各アウトリガー４は二段式のものであり、水平筒状部材４１と、この一方の開口端から引き出し可能な状態で挿入されている引き出し式水平筒状部材４２と、この引き出し式水平筒状部材４２の他方の端に直角に取り付けた脚差込筒４３と、この脚差込筒４３に差し込まれている垂直脚４４とを備えている。
【００２４】
(垂直ポール)
図２(ａ)、(ｂ)および(ｃ)は、垂直ポール５の平面図、および直交する方向から見た場合の各側面図である。垂直ポール５は円筒状ポール本体５１からなり、この円筒状ポール本体５１の下端部側の外周面部分には同軸状態で円環状フランジ５２が固定されている。円筒状ポール本体５１の上端封鎖面には左右一対の取付フランジ５３が固定されている。これらのフランジ５３は一定の間隔で平行に延びており、これらには、連結ピン差込用のピン差込穴５３ａが対応する部位に形成されている。
【００２５】
また、これらのフランジ５３の一方の端面部分からは斜め上方に一対のプーリ取付フランジ５４が延びており、これらのプーリ取付フランジ５４の上端部分の間に回転自在の状態でプーリ１０ａが支持されるようになっている。
【００２６】
さらに、円筒状ポール本体５１における軸線方向の中程の部位には、その外周面部分から横方に突出した状態で、ブーム起伏用シリンダ８の一端を、連結ピンによって取り付けるためのシリンダ取付フランジ５５が固定されている。このフランジ５５にも連結ピン差込用のピン差込穴５５ａが形成されている。
【００２７】
さらには、円筒状ポール本体５１におけるシリンダ取付フランジ５５とは反対側の外周面部分は電動ウインチ９の取付部５６となっている。
【００２８】
(アウトリガー取付部品)
図３(ａ)および(ｂ)はアウトリガー取付部品３の平面図および縦断面図である。アウトリガー取付部品３は、円形断面のポール差込筒２と、このポール差込筒２の外周面に９０度の角度間隔で４箇所に固定されたアウトリガー取付部３１とを備えている。ポール差込筒２の上端縁には円環状座板２１が固定されており、当該ポール差込筒２の下端には円板状の底板２２が取り付けられている。
【００２９】
各アウトリガー取付部３１は、一定の間隔で水平に張り出している略扇形の上下の水平フランジ３２、３３と、これらの間を連結している左右の垂直ウエブ３４、３５とを備えている。上下の水平フランジ３２、３３には、それらの扇形状の中心にピン差込穴３６、３７が形成されている。また、上側の水平フランジ３２は下側の水平フランジ３３より一回り大きく、その外周縁部分に沿ってピン差込穴３６を中心として等角度間隔で５個のピン差込穴３８が形成されている。さらに、各アウトリガー取付部３１の垂直ウエブ３５には、ポール差込筒２と平行の延びる状態で、円筒３９が固定されている。この円筒３９には蝶ねじ用のねじ孔３９ａが形成されており、ここに上下方向から差し通した組立用パイプ(図１０、図１１参照)を蝶ねじをねじ込むことにより、当該円筒３９に締結固定できるようになっている。
【００３０】
(アウトリガー)
次に、図４〜図６はアウトリガー４の構成部品を示す図である。図４(ａ)、(ｂ)および(ｃ)はアウトリガー４の水平筒状部材４１を示す平面図、正面図および端面図である。図５(ａ)、(ｂ)および(ｃ)は引き出し式水平筒状部材４２および脚差込筒４３を示す平面図、正面図および端面図である。図６(ａ)、(ｂ)および(ｃ)は垂直脚４４を示す直交方向から見た場合の各側面図および底面図である。
【００３１】
まず、図４を参照して説明すると、水平筒状部材４１は角パイプからなり、その下面における軸線方向の中程の部位には、アウトリガー補強部材７の一端が固定されている。アウトリガー補強部材７の他端は、水平筒状部材４１の端部４１２に固定した垂直連結部材７ａの下端に固定されている。
【００３２】
水平筒状部材４１の端部４１２は、アウトリガー取付部品３のアウトリガー取付部３１に取り付けられる部分である。ここには、上下に貫通する状態で、垂直ピン差込穴４１３、４１４が形成されている。垂直ピン差込穴４１３、４１４から軸線方向に間隔をおいた位置には小径の垂直ピン差込穴４１５、４１６が形成されている。水平筒状部材４１の他方の端部４１７には、横方向に貫通する状態で水平ピン差込穴４１８、４１９が形成されている。
【００３３】
次に、図５を参照して説明すると、引き出し式水平筒状部材４２は矩形断面のものであり、その一方の端部４２１の側から、水平筒状部材４１に抜き差し可能な状態で挿入されている。この引き出し式水平筒状部材４２の左右の側面には、その軸線方向に沿って一定の間隔で、ピン差込穴４２２が形成されている。本例では４箇所に形成されている。引き出し式水平筒状部材４２の他方の端に直交状態に固定されている脚差込筒４３も矩形断面のものであり、その左右の側面の上端側の部位にはピン差込穴４３１、４３２が形成されている。なお、引き出し式水平筒状部材４２と脚差込筒４３の入隅部分には補強部材４３３が取り付けられている。
【００３４】
図６を参照して説明すると、垂直脚４４は矩形断面をしており、脚差込筒４３に挿入可能な大きさのものである。この垂直脚４４の左右の側面には、その軸線方向に沿って一定の間隔でピン差込穴４４１、４４２が形成されている。また、下端面４４３には、図１に示すように、椀状の支持部材４５を取り付け可能となっている。
【００３５】
(ブーム)
図７(ａ)、(ｂ)および(ｃ)は、ブーム６を構成する第１ブームの平面図、正面図および側面図である。図８(ａ)、(ｂ)および(ｃ)はブーム６を構成する第２ブームの底面図、平面図および側面図である。また、図９(ａ)、(ｂ)および(ｃ)はブーム６を構成する第３ブームの底面図、平面図および側面図である。
【００３６】
図１および図７を参照して説明すると、第１ブーム６１には、その開口端６１１から、第２ブーム６２が抜き差し可能な状態で挿入されている。第１ブーム６１は矩形断面の筒状部材からなり、下面には起伏用シリンダ８の一端を連結ピンによって取り付けるためのフランジ６４が取り付けられている。第１ブーム６１の他方の端６１２には、ピン差込穴６５ａが形成されている一対の取付フランジ６５が軸線方向に突出している。この部分が垂直ポール５の上端の取付フランジ５３に対して連結ピンによって連結固定される。また、第１ブーム６１の開口端６１１の側の左右の側面の部位には、ピン差込穴６７が形成されている。
【００３７】
図８に示すように、第２ブーム６２は第１ブーム６１よりも一回り小さな矩形筒状断面をしており、その左右の側面には、軸線方向に沿って一定の間隔でピン差込穴６２１が形成されている。また、第２ブーム６２の先端開口部６２２から、第３ブーム６３が抜き差し可能な状態で挿入されており(図１参照)、当該先端開口部６２２の左右の側面部分にもピン差込穴６２３が形成されている。第２ブーム６２を第１ブーム６１に挿入し、そのピン差込穴６２１の一つを、第１ブーム６１のピン差込穴６７に位置決めして連結ピンを差し込むことにより、これらが連結固定されて、ブーム６２の引き出し長さが設定される。
【００３８】
次に、図９に示すように、第３ブーム６３は第１ブーム６２よりも一回り小さな矩形筒状断面をしており、その左右の側面には、軸線方向に沿って一定の間隔でピン差込穴６３１が形成されている。第３ブーム６３を第２ブーム６２に挿入し、そのピン差込穴６３１の一つを、第２ブーム６２のピン差込穴６２３に位置決めして連結ピンを差し込むことにより、これらが連結固定されて、ブーム６３の引き出し長さが設定される。
【００３９】
また、第３ブーム６３の先端にはプーリ取付部６３２が取り付けられており、ここにプーリ１０ｂが回転自在の状態で取り付けられる(図１参照)。また、プーリ取付部６３２の下側にはワイヤ１１を連結するためのワイヤ連結ピン６３３が取り付けられている。
【００４０】
なお、上記の各部材を組み立てるための連結ピンを、各部材に、鎖、ワイヤ、ロープなどによって吊り下げておけば、組立て作業が簡単になる。
【００４１】
(組立手順)
図１０(ａ)〜(ｅ)、および図１１は、現場組立式簡易クレーンの組立手順を示す工程図である。現場組立式簡易クレーン１は、アウトリガー取付部品３、アウトリガー４、垂直ポール５、ブーム６、ブーム起伏用シリンダ８、電動ウインチ９が分解された状態で作業現場に搬入される。アウトリガー４は、水平筒状部材４１と、引き出し用水平筒状部材４２および脚差込筒４３と、垂直脚４４とに分解された状態で搬入される。また、ブーム６は第１ブーム６１、第２ブーム６２および第３ブーム６３に分解された状態で搬入される。したがって、現場組立て式簡易クレーン１を、搬送が容易な重量および寸法の部品に分解して山間部などの足場の悪い作業現場に搬入することができる。
【００４２】
図１１および図１０(ａ)に示すように、作業現場１５の中心にアウトリガー取付部品３を搬入し、各アウトリガー取付部３１に固定されている各円筒３９に、それぞれ組立用パイプ１６を差し込み、当該ポール差込筒２が所定高さ位置に支持されるように、各組立用パイプ１６を差し込み、蝶ねじ３９ｂによって各組立用パイプ１６を各円筒３９に締結固定する。これと並行して、あるいは、前後して、４本のアウトリガー４を組み立てておく。すなわち、水平筒状部材４１、引き出し式水平部材４２および垂直脚４４を組立てておく。次に、組立用パイプ１６が締結固定されているアウトリガー取付部品３を垂直に立てる。
【００４３】
この後は、図１０(ｂ)に示すように、この状態で、ポール差込筒２の外周面から放射状に張り出している各アウトリガー取付部３１に、各アウトリガー４を連結ピンにより取り付ける。そして、各アウトリガー４の外端部の脚差込筒４３に差し込まれている各垂直脚４４の下方への突出量を調節することにより、各アウトリガー４が水平となるよう設定する。
【００４４】
このように、足場に起伏がある場合には、垂直脚４４を上下に移動させることにより、対応できる。また、引き出し用水平筒状部材４２の引き出し量を調節することにより、各垂直脚４４を足場の良い所に設置することができる。さらに、各アウトリガー４は、アウトリガー取付部品３に対する水平面方向の取り付け角度を所定の角度範囲内で調整可能であり、各アウトリガー４の張り出し方向を変えることにより、足場のよい場所に垂直脚４４を立てることができる。
【００４５】
この後は、図１０(ｃ)に示すように、アウトリガー取付部品３のポール差込筒２に、上側から垂直ポール５の下端部を差し込むことにより、当該垂直ポール５をアウトリガー取付部品３に対して垂直に取り付ける。
【００４６】
この後は、垂直ポール５の上端部にブーム６の第１ブーム６１を取り付けて、連結ピンによって固定する。また、垂直ポール５と第１ブーム６１の間にブーム起伏用シリンダ８を掛け渡す。この後に、第１ブーム６１に第２ブーム６２を差し込み、所定の引き出し状態で連結ピンによって固定する。同様に、第２ブーム６２に第２ブーム６３を差し込み、所定の引き出し状態で連結ピンによって固定する。しかる後に、電動ウインチ９、プーリ１０、ワイヤ１１およびフック１２を取り付ける。
【図面の簡単な説明】
【００４７】
【図１】(ａ)および(ｂ)は、本発明を適用した現場組立式簡易クレーンの側面図および部分平面図である。
【図２】(ａ)、(ｂ)および(ｃ)は、垂直ポールの平面図、および直交する方向から見た場合の各側面図である。
【図３】(ａ)および(ｂ)は、アウトリガー取付部品の平面図および縦断面図である。
【図４】(ａ)、(ｂ)および(ｃ)は、アウトリガーの水平筒状部材を示す平面図、正面図および端面部である。
【図５】(ａ)、(ｂ)および(ｃ)は、引き出し式水平筒状部材および脚差込筒を示す平面図、正面図および端面図である。
【図６】(ａ)、(ｂ)および(ｃ)は、垂直脚を示す直交方向から見た場合の各側面図および底面図である。
【図７】(ａ)、(ｂ)および(ｃ)は、ブームの第１ブームを示す平面図、正面図および側面図である。
【図８】(ａ)、(ｂ)および(ｃ)は、ブームの第２ブームを示す平面図、正面図および側面図である。
【図９】(ａ)、(ｂ)および(ｃ)は、ブームの第３ブームを示す底面図および側面図である。
【図１０】(ａ)〜(ｃ)は、図１の現場組立式簡易クレーンの組立手順の一例を示す工程図である。
【図１１】アウトリガー取付部品の各円筒に組立用パイプを差し込んで固定し、垂直に立てた状態を示す斜視図である。
【符号の説明】
【００４８】
１    現場組立式簡易クレーン
２    ポール差込筒
３    アウトリガー取付部品
４    アウトリガー
５    垂直ポール
６    三段式ブーム
７    アウトリガー補強部材
８    ブーム起伏用シリンダ
９    電動ウインチ
１０  プーリ
１１  ワイヤ
１２  フック
１５  作業現場
１６  組立用パイプ
２１  円環状座板
２２  底板
２３  ピン差込穴
３１  アウトリガー取付部
３２、３３  水平フランジ
３４，３５  垂直ウエブ
３６，３７  ピン差込穴
３８  ピン差込穴
３９  円筒
３９ａ  ねじ孔
３９ｂ  蝶ねじ
４１  水平筒状部材
４２  引き出し用水平筒状部材
４３  脚差込筒
４４  垂直脚４１
５１  円筒状ポール本体
５２  円環状フランジ
５３  フランジ
５３ａ  ピン差込穴
５４、５５  フランジ
５５ａ  ピン差込穴
５６  電動ウインチ取付部
６１  第１ブーム
６２  第２ブーム
６３  第３ブーム
６４  フランジ
６５  取付フランジ
６５ａ  ピン差込穴
６７  ピン差込穴
４１２  端部
４１３、４１４  ピン差込穴
４１５、４１６  ピン差込穴
４１７  端部
４１８、４１９  ピン差込穴
４２１  端部
４２２  ピン差込穴
４３１  ピン差込穴
４４１、４４２  ピン差込穴
４４３  底面
６２１、６２３、６３１  ピン差込穴
【図１】
2009046249.tif 000003
【図２】
2009046249.tif 000004
【図３】
2009046249.tif 000005
【図４】
2009046249.tif 000006
【図５】
2009046249.tif 000007
【図６】
2009046249.tif 000008
【図７】
2009046249.tif 000009
【図８】
2009046249.tif 000010
【図９】
2009046249.tif 000011
【図１０】
2009046249.tif 000012
【図１１】
2009046249.tif 000013